(57)【要約】  室外機の梱包装置は、熱交換器を備えた室外機の梱包装置であって、室外機の底部が載置される一対の底部緩衝材と、一対の底部緩衝材が載置される底板部と、底板部の縁部から立ち上がる第１側壁部と、を有する底部外装段ボール材と、一対の底部緩衝材の間に配置された状態で熱交換器を覆う板状の背面梱包材と、を備え、底板部は、底板部から切り起こしにより形成される切起こし部を有し、切起こし部は、一対の底部緩衝材が底板部に載置された状態において一対の底部緩衝材の間に形成されており、切り起こされた状態では第１側壁部と対向し、背面梱包材は、底板部に立てた状態で配置されると、背面梱包材の下部が、切起こし部と第１側壁部とによって支持されるものである。
2020129241.tif 000002
【特許請求の範囲】
【請求項１】
熱交換器を備えた室外機の梱包装置であって、
室外機の底部が載置される一対の底部緩衝材と、
前記一対の底部緩衝材が載置される底板部と、前記底板部の縁部から立ち上がる第１側壁部と、を有する底部外装段ボール材と、
前記一対の底部緩衝材の間に配置された状態で前記熱交換器を覆う板状の背面梱包材と、
を備え、
前記底板部は、
前記底板部から切り起こしにより形成される切起こし部を有し、
前記切起こし部は、
前記一対の底部緩衝材が前記底板部に載置された状態において前記一対の底部緩衝材の間に形成されており、切り起こされた状態では前記第１側壁部と対向し、
前記背面梱包材は、
前記底板部に立てた状態で配置されると、前記背面梱包材の下部が、前記切起こし部と前記第１側壁部とによって支持される室外機の梱包装置。
【請求項２】
前記切起こし部の基部は、前記底板部を垂直方向に見た平面視において、前記第１側壁部の基部と平行に形成されている請求項１に記載の室外機の梱包装置。
【請求項３】
前記切起こし部は、
前記一対の底部緩衝材の間に延びる１つの切起こし片で形成されている請求項１又は２に記載の室外機の梱包装置。
【請求項４】
前記切起こし部は、
複数の切起こし片で形成されており、
前記複数の切起こし片は、前記第１側壁部に沿って並んで配置されている請求項１又は２に記載の室外機の梱包装置。
【請求項５】
前記切起こし片は、矩形の板状に形成されており、一辺が前記底板部と接続している請求項３又は４に記載の室外機の梱包装置。
【請求項６】
前記一対の底部緩衝材は、
互いに対向する内側面部をそれぞれ有し、
前記一対の底部緩衝材が前記底板部に載置された場合に、前記内側面部は、水平方向において、前記切起こし部の側方の側縁部と対向しており、
前記切起こし部は、前記一対の底部緩衝材の水平方向の移動を規制する請求項１〜５のいずれか１項に記載の室外機の梱包装置。
【請求項７】
前記内側面部は、
前記側縁部と当接する請求項６に記載の室外機の梱包装置。
【請求項８】
前記内側面部には、
前記一対の底部緩衝材の上下方向に延びるように形成された溝部が形成されており、
前記側縁部は、前記溝部に配置されている請求項６又は７に記載の室外機の梱包装置。
【請求項９】
前記切起こし部は、
前記背面梱包材が配置される側とは反対側の壁面が、前記溝部を構成する壁部と対向する請求項８に記載の室外機の梱包装置。
【請求項１０】
前記切起こし部は、
前記背面梱包材が配置される側とは反対側に倒れた状態では前記壁部と当接しており、
前記切起こし部は、前記壁部によって更に支持される請求項９に記載の室外機の梱包装置。
【請求項１１】
前記底部外装段ボール材は、
前記底板部の縁部から立ち上がり前記第１側壁部と対向する第２側壁部と、
前記底板部の縁部から立ち上がり前記第１側壁部と前記第２側壁部との間に形成された、互いに対向する第３側壁部及び第４側壁部と、
を有し、
前記一対の底部緩衝材のうち一方の底部緩衝材は、
前記第１側壁部と、前記第２側壁部と、前記第３側壁部と、前記切起こし部との間に配置され、
前記一対の底部緩衝材のうち他方の底部緩衝材は、
前記第１側壁部と、前記第２側壁部と、前記第４側壁部と、前記切起こし部との間に配置される請求項１〜１０のいずれか１項に記載の室外機の梱包装置。
【請求項１２】
前記背面梱包材は、
矩形状に形成された主板部と、
前記主板部の下縁部から突出する突出部と、
を有し、
前記一対の底部緩衝材はそれぞれ直方体状に形成されており、
前記一対の底部緩衝材はそれぞれ、前記一対の底部緩衝材は前記内側面部と、室外機が載置される上面部と、前記一対の底部緩衝材が前記底板部に載置された場合に前記第１側壁部と対向する側面部とによって形成される角部に切り欠き部が形成されており、
前記切り欠き部は、
前記背面梱包材が、前記底板部に配置された場合に、前記主板部の板面と対向する背面縦壁部と、前記主板部の上縁部と前記下縁部との間に延びるように形成された主板側縁部と対向する側面縦壁部と、前記主板部の前記下縁部と対向する中間底面部と、によって形成されている請求項６〜１０のいずれか１項に記載の室外機の梱包装置。
【発明の詳細な説明】
【技術分野】
【０００１】
本発明は、冷凍サイクル装置を構成する室外機の梱包に用いられる室外機の梱包装置に関するものである。
【背景技術】
【０００２】
従来、冷凍サイクル装置の室外機を保管し、あるいは、輸送する際には、室外機は梱包装置で梱包される。この梱包装置は、室外機の天面部を覆う天面部外装段ボール材と、天面部外装段ボール材と室外機の天面部との間に配置される天面部緩衝材とを有する。また、梱包装置は、室外機の底部を覆う底部外装段ボール材と、底部外装段ボール材と室外機の底部との間に配置される底部緩衝材とを有する。更に、梱包装置は、室外機の背面側に露出する熱交換器を保護するための背面梱包材を有する。従来、この背面梱包材は、梱包装置において、板状に形成されており、上部が天面部緩衝材と天面部外装段ボール材の側壁との間に挟まれ、下部が底部緩衝材と底部外装段ボール材の側壁との間に挟まれている。【０００３】
室外機の梱包時の作業において、室外機の梱包は、筐体底部の梱包、背面梱包材の取り付け、筐体上部の梱包の順番で行われる。この室外機の梱包作業において、天面部外装段ボール材を室外機の筐体の上部に被せる際、背面梱包材が倒れると、作業者は、天面部緩衝材と天面部外装段ボール材の側壁との間に背面梱包材を挟みにくい。そこで、作業者は、背面梱包材を底部外装段ボール材に対して垂直にするために、背面梱包材を手で押えながら、片手で天面部外装段ボール材を室外機の筐体の上部に被せることになり梱包作業の作業性が悪い。そのため、従来、室外機の梱包時の作業性を考慮して、背面梱包材は、底部緩衝材と底部外装段ボール材の側壁との間に支持されている（例えば、特許文献１参照）。
【先行技術文献】
【特許文献】
【０００４】
【特許文献１】特開２００３−２３８８号公報
【発明の概要】
【発明が解決しようとする課題】
【０００５】
特許文献１の梱包装置は、背面梱包材が、底部緩衝材と底部外装段ボール材の側壁との間に支持されている。しかし、底部緩衝材と底部外装段ボール材とは、底部緩衝材の移動を抑制するために、底部緩衝材と底部外装段ボール材との間の隙間が小さくなるような寸法で形成されている。そのため、梱包装置は、底部緩衝材と底部外装段ボール材の側壁との間の隙間が小さく、室外機の筐体の梱包作業において、作業者がその小さな隙間に背面梱包材を差し込むことは作業性が悪い。また、背面梱包材を挿し込むことを考慮して、例えば、予め底部緩衝材を小さく形成しておく等、底部緩衝材と底部外装段ボール材との間に隙間が形成される寸法に底部緩衝材と底部外装段ボール材とを形成しておくことも考えられる。しかし、底部緩衝材と底部外装段ボール材との間に隙間があると、室外機を底部緩衝材に載せる際に底部緩衝材がずれてうまく梱包できない場合がある。【０００６】
本発明は、上記のような課題を解決するためのもので、底部緩衝材と底部外装段ボール材との間に背面梱包材を挿し込むための隙間を形成することなく、かつ、室外機の梱包作業時に、作業性よく底部外装段ボール材上に背面梱包材を支持できる室外機の梱包装置を提供することにある。
【課題を解決するための手段】
【０００７】
本発明の室外機の梱包装置は、熱交換器を備えた室外機の梱包装置であって、室外機の底部が載置される一対の底部緩衝材と、一対の底部緩衝材が載置される底板部と、底板部の縁部から立ち上がる第１側壁部と、を有する底部外装段ボール材と、一対の底部緩衝材の間に配置された状態で熱交換器を覆う板状の背面梱包材と、を備え、底板部は、底板部から切り起こしにより形成される切起こし部を有し、切起こし部は、一対の底部緩衝材が底板部に載置された状態において一対の底部緩衝材の間に形成されており、切り起こされた状態では第１側壁部と対向し、背面梱包材は、底板部に立てた状態で配置されると、背面梱包材の下部が、切起こし部と第１側壁部とによって支持されるものである。
【発明の効果】
【０００８】
本発明に係る室外機の梱包装置は、底板部が底板部から切り起こしにより形成される切起こし部を有している。この切起こし部は、一対の底部緩衝材が底板部に載置された状態において一対の底部緩衝材の間に形成されており、切り起こされた状態では第１側壁部と対向する。そして、背面梱包材は、底板部に立てた状態で配置されると、背面梱包材の下部が、切起こし部と第１側壁部とによって支持されるものである。その結果、室外機の梱包装置は、底部緩衝材と底部外装段ボール材との間に背面梱包材を挿し込むための隙間を形成する必要がない。また、室外機の梱包作業時に、一対の底部緩衝材と底部外装段ボール材との間に背面梱包材を挿し込む必要がないので、作業者は、作業性よく底部外装段ボール材上に背面梱包材を支持させることができる。
【図面の簡単な説明】
【０００９】
【図１】本発明の実施の形態１に係る梱包装置の斜視図である。
【図２】図１の梱包装置の背面図である。
【図３】図１の梱包装置の分解斜視図である。
【図４】図３の右底部緩衝材及び左底部緩衝材の拡大図である。
【図５】図３の底部外装段ボール材の斜視図である。
【図６】図５の底部外装段ボール材の展開図である。
【図７】図４の底部外装段ボール材の変形例の斜視図である。
【図８】図４の底部外装段ボール材の他の変形例の斜視図である。
【図９】図３の背面梱包材の背面図である。
【図１０】図９の背面梱包材の変形例の背面図である。
【図１１】図９の背面梱包材の、他の変形例の背面図である。
【図１２】右底部緩衝材及び左底部緩衝材を、底部外装段ボール材に配置した斜視図である。
【図１３】図２の梱包装置の簡略化したＡ−Ａ線断面図である。
【図１４】図１３の梱包装置のＢ部を拡大した概念図である。
【図１５】本発明の実施の形態２に係る梱包装置の斜視図である。
【図１６】図１５の右底部緩衝材及び左底部緩衝材の拡大図である。
【図１７】図１６の右底部緩衝材及び左底部緩衝材を、底部外装段ボール材に配置した斜視図である。
【図１８】図１７の切起こし部及び左底部緩衝材のＣ部拡大図である。
【図１９】図１８の切起こし部及び左底部緩衝材のＤ部における簡略化した拡大断面図である。
【図２０】本発明の実施の形態２の梱包装置を構成する背面梱包材と右底部緩衝材及び左底部緩衝材とを組み合わせた斜視図である。
【図２１】図２０の背面梱包材及び右底部緩衝材のＥ部の拡大図である。
【発明を実施するための形態】
【００１０】
以下、本発明の実施の形態に係る室外機１５０の梱包装置１００及び梱包装置１００Ａについて図面等を参照しながら説明する。以下の図面において、同一の符号を付したものは、同一又はこれに相当するものであり、以下に記載する実施の形態の全文において共通することとする。そして、明細書全文に表されている構成要素の形態は、あくまでも例示であって、明細書に記載された形態に限定するものではない。また、図面では各構成部材の大きさの関係が実際のものとは異なる場合がある。なお、本実施の形態において、理解を容易にするために方向を表す用語（例えば「上」、「下」、「右」、「左」、「前」、「後」など）を適宜用いるが、これは説明のためのものであって、これらの用語は本願発明を限定するものではない。
【００１１】
実施の形態１．
［梱包装置１００の構成］
図１は、本発明の実施の形態１に係る梱包装置１００の斜視図である。図２は、図１の梱包装置１００の背面図である。図３は、図１の梱包装置１００の分解斜視図である。図１〜図３を参照して梱包装置１００の各部の構成を説明する。なお、図１以下の図面において示すＸ軸、Ｙ軸、Ｚ軸は、室外機１５０の熱交換器１８０が配置される側を梱包装置１００の背面側とし、梱包装置１００を梱包装置１００の前面側から見た場合の軸方向を表すものとする。そのため、Ｘ軸は、Ｘ１側を左、Ｘ２側を右として梱包装置１００の左右の幅方向を示す。また、Ｙ軸は、Ｙ１側を前側、Ｙ２側を後側として梱包装置１００の前後の奥行方向を示す。さらに、Ｚ軸は、Ｚ１側を上、Ｚ２側を下として梱包装置１００の上下方向を示すものである。
【００１２】
［梱包装置１００の被包装体］
梱包装置１００に梱包される被包装体は、冷凍サイクル装置の室外機１５０である。冷凍サイクル装置は、例えば、冷蔵庫あるいは冷凍庫、自動販売機、空気調和装置、冷凍装置、給湯器などの、冷凍用途または空調用途に使用される。室外機１５０は、筐体１５５を有する。室外機１５０の筐体１５５は、室外機１５０の外郭を構成する。筐体１５５は、板金製であり、底面を構成する底部１５１と、底面と対向する天面を構成する天面部１５２と、底部１５１と天面部１５２との間の側壁を形成する側壁部１５３とを有し、略直方体形状に構成されている。室外機１５０は、熱交換器１８０と、送風機（図示は省略）と、圧縮機（図示は省略）とを有する。熱交換器１８０は、内部を流れる冷媒と、熱交換器１８０の周りの空気との熱交換を行い、蒸発器又は凝縮器として機能する。この熱交換器１８０は、側壁部１５３に形成された開口部１５３ａから露出するように筐体１５５内に配置されている。この開口部１５３ａは、室外機１５０の背面（Ｙ２）側に形成されており、熱交換器１８０は、室外機１５０の背面（Ｙ２）側に露出している。
【００１３】
［梱包装置１００］
梱包装置１００は、熱交換器１８０を備えた室外機１５０の梱包装置である。梱包装置１００は、室外機１５０を保護するものであり、室外機１５０を物流における荷扱い時の接触から保護する耐衝性と、室外機１５０に係る圧力から保護する耐圧性とを有するものである。梱包装置１００は、図１〜図３に示すように、被包装体となる室外機１５０の底部１５１が載置される右底部緩衝材１０及び左底部緩衝材２０と、右底部緩衝材１０及び左底部緩衝材２０が載置される底部外装段ボール材３０とを有する。また、梱包装置１００は、室外機１５０の天面部１５２に載置される天面部緩衝材４０及び天面部緩衝材５０と、天面部緩衝材４０及び天面部緩衝材５０に載置される天面部外装段ボール材６０とを有する。また、梱包装置１００は、熱交換器１８０を覆うことで、物流における荷扱い時の接触から熱交換器１８０を保護し、熱交換器１８０に係る圧力から熱交換器１８０を保護する背面梱包材８０を有する。さらに、梱包装置１００は、底部外装段ボール材３０と天面部外装段ボール材６０の外側に掛けられるバンド部材７０を有する。
【００１４】
（右底部緩衝材１０及び左底部緩衝材２０）
図４は、図３の右底部緩衝材１０及び左底部緩衝材２０の拡大図である。図３及び図４を用いて右底部緩衝材１０及び左底部緩衝材２０について説明する。右底部緩衝材１０及び左底部緩衝材２０は、室外機１５０の底部１５１が載置される一対の底部緩衝材である。右底部緩衝材１０及び左底部緩衝材２０は、室外機１５０の幅方向（Ｘ軸方向）において、底部１５１が設置される。右底部緩衝材１０及び左底部緩衝材２０は、発泡スチロール材を略直方体状に成形したものである。右底部緩衝材１０は、上面部１１ａと、底面部１１ｂと、２つの側面部１１ｃと、外側面部１１ｄと、内側面部１１ｅとを有する六面体である。上面部１１ａは、右底部緩衝材１０の天面を構成し、底面部１１ｂは右底部緩衝材１０の底面を構成する。そして、２つの側面部１１ｃと、外側面部１１ｄと、内側面部１１ｅとは、右底部緩衝材１０の側壁を構成する。なお、図４では、上面部１１ａ、底面部１１ｂ、２つの側面部１１ｃ、外側面部１１ｄ及び内側面部１１ｅはそれぞれ、平面で構成されているように記載されている。しかし、上面部１１ａ、底面部１１ｂ、２つの側面部１１ｃ、外側面部１１ｄ及び内側面部１１ｅは、平面を構成する形態に限定されるものではない。上面部１１ａ、底面部１１ｂ、２つの側面部１１ｃ、外側面部１１ｄ及び内側面部１１ｅにはそれぞれ、凹凸が設けられてもよい。また、壁面によって構成される角部は、面取りされていてもよい。
【００１５】
同様に、左底部緩衝材２０は、上面部２１ａと、底面部２１ｂと、２つの側面部２１ｃと、外側面部２１ｄと、内側面部２１ｅとを有する六面体である。上面部２１ａは、左底部緩衝材２０の天面を構成し、底面部２１ｂは左底部緩衝材２０の底面を構成する。そして、２つの側面部２１ｃと、外側面部２１ｄと、内側面部２１ｅとは、左底部緩衝材２０の側壁を構成する。なお、図４では、上面部２１ａ、底面部２１ｂ、２つの側面部２１ｃ、外側面部２１ｄ及び内側面部２１ｅはそれぞれ、平面で構成されているように記載されている。しかし、上面部２１ａ、底面部２１ｂ、２つの側面部２１ｃ、外側面部２１ｄ及び内側面部２１ｅは、平面を構成する形態に限定されるものではない。上面部２１ａ、底面部２１ｂ、２つの側面部２１ｃ、外側面部２１ｄ及び内側面部２１ｅにはそれぞれ、凹凸が設けられてもよい。また、壁面によって構成される角部は、面取りされていてもよい。
【００１６】
一対の底部緩衝材である右底部緩衝材１０及び左底部緩衝材２０は、底板部３１に載置された場合に、内側面部１１ｅと内側面部２１ｅとが互いに対向する。
【００１７】
右底部緩衝材１０は、上面部１１ａに凹部１２が形成されており、同様に、左底部緩衝材２０は、上面部２１ａに凹部２２が形成されている。凹部１２及び凹部２２は、上面部１１ａ及び上面部２１ａから内側に凹んだ溝状に形成された部分であり、梱包装置１００の短手方向（Ｙ軸方向）に延びるように形成されている。凹部１２及び凹部２２には、室外機１５０の底部１５１に設けられた脚部１５４が挿入される。
【００１８】
（底部外装段ボール材３０）
図５は、図３の底部外装段ボール材３０の斜視図である。図６は、図５の底部外装段ボール材３０の展開図である。図３、図５及び図６を用いて底部外装段ボール材３０について説明する。
【００１９】
底部外装段ボール材３０は、右底部緩衝材１０及び左底部緩衝材２０の下面部および周囲面部を被うように形成されたトレイ型の段ボール材であり、右底部緩衝材１０及び左底部緩衝材２０の外側に被せられるように構成される。底部外装段ボール材３０は、右底部緩衝材１０及び左底部緩衝材２０が載置される平板状の底板部３１を有する。この底板部３１は、平面視で矩形状に形成されている。底部外装段ボール材３０の底板部３１は、底板部３１から切り起こしにより形成される切起こし部３４を有している。
【００２０】
また、底部外装段ボール材３０は、底板部３１の長手方向（Ｘ軸方向）の縁部に沿って立ち上がり、底板部３１の長手方向（Ｘ軸方向）に延びるように形成された対向する２つの長辺側壁部３２を有する。２つの長辺側壁部３２のうち、底部外装段ボール材３０の後方の側壁を構成するものが第１側壁部３２ａであり、底部外装段ボール材３０の前方の側壁を構成するものが第２側壁部３２ｂである。第１側壁部３２ａと第２側壁部３２ｂとは、それぞれ底板部３１の縁部から立ち上がり、第１側壁部３２ａと第２側壁部３２ｂとは、互いに対向する。なお、第２側壁部３２ｂは、室外機１５０の熱交換器１８０が外部に露出している側の面の側壁である。
【００２１】
また、底部外装段ボール材３０は、底板部３１の短手方向（Ｙ軸方向）の縁部に沿って立ち上がり、底板部３１の短手方向（Ｙ軸方向）に延びるように形成された対向する２つの短辺側壁部３３を有する。２つの短辺側壁部３３のうち、底部外装段ボール材３０の右側の側壁を構成するものが第３側壁部３３ａであり、底部外装段ボール材３０の左側の側壁を構成するものが第４側壁部３３ｂである。第３側壁部３３ａと第４側壁部３３ｂとは、第１側壁部３２ａと第２側壁部３２ｂとの間に形成されており、それぞれ底板部３１の縁部から立ち上がり、第３側壁部３３ａと第４側壁部３３ｂとは、互いに対向する。
【００２２】
底部外装段ボール材３０は、一枚の板状の底部外装段ボール材３０の短辺側壁部３３と長辺側壁部３２とを折り曲げて接続させ、底部外装段ボール材３０の側壁を形成することで、底板部３１を底面とした器状に形成される。
【００２３】
（切起こし部３４の構成）
切起こし部３４は、底板部３１から切り起こしにより形成される部分である。切起こし部３４は、右底部緩衝材１０及び左底部緩衝材２０が底板部３１に載置された状態において右底部緩衝材１０と左底部緩衝材２０との間に形成されている。また、切起こし部３４は、切り起こされた状態では長辺側壁部３２の第１側壁部３２ａと対向する。切起こし部３４は、切起こし部３４と長辺側壁部３２との間に立てた状態で配置される背面梱包材８０の下部を支持するものである。そのため、切起こし部３４は、切起こし部３４と長辺側壁部３２との間に配置された背面梱包材８０の下端部が、短手方向（Ｙ軸方向）に移動することを規制する。切起こし部３４は、１つ又は複数の切起こし片３５から構成される。
【００２４】
図５及び図６に示すように、底部外装段ボール材３０の底板部３１には、底板部３１の長手方向（Ｘ軸方向）に沿って一対の切起こし片３５が形成されている。一対の切起こし片３５は、対向する２つの長辺側壁部３２の間で、短手方向（Ｙ軸方向）において、それぞれの長辺側壁部３２から同じ位置に形成されている。また、２つの切起こし片３５は、第１側壁部３２ａに沿って並んで配置されている。
【００２５】
切起こし片３５は、底板部３１から切り起こされて形成される。切起こし片３５は、切り起こされると、隣接する第１側壁部３２ａと対向する。切起こし片３５は、底板部３１から切り起こされると矩形の板状に形成される。切起こし片３５は、図５に示すように、切起こし片３５を構成する四辺のうち、長手方向（Ｘ軸方向）に延び第１側壁部３２ａに最も近い一辺を構成する谷折部３５ｃが切り残されており、底板部３１と接続している。切起こし片３５の谷折部３５ｃは切起こし部３４の基部であり、底板部３１を垂直方向に見た平面視において、隣接する第１側壁部３２ａの基部３２ｃと平行に形成されている。そのため、切起こし片３５が底板部３１に対して垂直となるように切り起こされた場合には、切起こし片３５と、第１側壁部３２ａとは平行な壁を構成する。そして、切起こし片３５は、残る三辺のうち、一辺を構成する長辺縁部３５ａと、二辺を構成する短辺側縁部３５ｂとが、底板部３１から切り離される。なお、長辺縁部３５ａは、谷折部３５ｃと対向する一辺を構成し、２つの短辺側縁部３５ｂは、谷折部３５ｃと長辺縁部３５ａとの両端部をそれぞれ結び、互いに対向する二辺を構成する。
【００２６】
切起こし片３５は、長辺縁部３５ａと２つの短辺側縁部３５ｂとが、底板部３１から切り離され、谷折部３５ｃで折り目が内側になるように切起こし片３５を折ることで、底板部３１から切り起こされる。短辺側縁部３５ｂは、切起こし部３４の側方の側縁部を形成する。長辺縁部３５ａは、切起こし部３４の上方の縁部を形成する。切起こし片３５が、底板部３１から切り起こされると、底板部３１には、貫通孔である切起こし孔部３５ｄが形成される。切起こし片３５は、矩形状に形成されているが、切起こし片３５の形状は、当該形状に限定されるものではない。切起こし片３５は、背面梱包材８０の移動を規制し、背面梱包材８０を支持できる形態であればよく、例えば、半円形状、円弧形状、矩形以外の多角形状、等他の形状であってもよい。
【００２７】
図６に示すように、長辺側壁部３２の基部３２ｃと谷折部３５ｃとの間の距離Ｌ１は、背面梱包材８０の板の厚さと略同じか、背面梱包材８０の板の厚さよりも僅かに大きく形成されている。長辺側壁部３２と切起こし片３５との間の距離となる距離Ｌ１は、背面梱包材８０の支持態様において、背面梱包材８０が倒れない距離とする。
【００２８】
切起こし片３５の長辺縁部３５ａと谷折部３５ｃとの間の距離Ｔ１は、長辺側壁部３２の基部３２ｃから上端部までの距離Ｔ２よりも小さく形成されている。すなわち、切起こし片３５の壁の高さは長辺側壁部３２の壁の高さよりも小さくなるように形成されている。切起こし片３５の長辺縁部３５ａと谷折部３５ｃとの間の距離Ｔ１の大きさは、例えば、距離Ｔ２の３０％以上の大きさである等、背面梱包材８０の重心との係わり合いによって決定される。また、切起こし片３５の大きさ及び厚さは、支持する背面梱包材８０の寸法によって適宜設定されるものである。
【００２９】
図７は、図４の底部外装段ボール材３０の変形例の斜視図である。図８は、図４の底部外装段ボール材３０の他の変形例の斜視図である。切起こし片３５は、図４では、梱包装置１００の長手方向（Ｘ軸方向）に沿って、２つ形成されているが、切起こし片３５は、背面梱包材８０を支持できればよく、底板部３１に形成される数量は限定されるものではない。例えば、切起こし片３５は、図７に示す底部外装段ボール材３０Ａのように、底板部３１の長手方向（Ｘ軸方向）に沿って、大きなものが１つ設けられてもよい。すなわち、切起こし部３４は、右底部緩衝材１０と左底部緩衝材２０との間に延びる１つの切起こし片３５で形成されてもよい。また、切起こし片３５は、図８に示す底部外装段ボール材３０Ｂのように、底板部３１の長手方向（Ｘ軸方向）に沿って、３つ形成されてもよい。すなわち、切起こし部３４は、複数の切起こし片３５で形成されてもよい。この場合、複数の切起こし片３５は、第１側壁部３２ａに沿って並んで配置される。
【００３０】
長辺側壁部３２と対向する切起こし片３５の面積が大きくなるほど、背面梱包材８０の支持を強化することができ、底板部３１に設置される背面梱包材８０が倒れにくくなる。ただし、長辺側壁部３２と対向する切起こし片３５の面積が大きくなるほど、底板部３１に形成される切起こし孔部３５ｄの大きさが大きくなり、底部外装段ボール材３０の強度が低下する恐れがある。そのため、背面梱包材８０の大きさ及び重量等を考慮して、切起こし片３５の数、長さ及び高さ等が決定される。
【００３１】
（天面部緩衝材４０及び天面部緩衝材５０）
図３に戻り、天面部緩衝材４０及び天面部緩衝材５０は、発泡スチロール材を直方体状に成形したものである。天面部緩衝材４０及び天面部緩衝材５０は、室外機１５０の幅方向（Ｘ軸方向）において、室外機１５０の天面部１５２の両肩に被せられる。天面部緩衝材４０及び天面部緩衝材５０は、室外機１５０の天面部１５２側の形状に合致されるように、下面側にそれぞれ凹部（図示は省略）が形成されている。天面部緩衝材４０及び天面部緩衝材５０は、室外機１５０の天面部１５２の端縁部及び角部と当接する部分を中心に肉厚に形成されている。天面部緩衝材４０及び天面部緩衝材５０は、図３に示すように、天面部１５２の中央付近と対向する部分に切り欠き部４１及び切り欠き部５１が形成されてもよい。天面部緩衝材４０及び天面部緩衝材５０に切り欠き部４１及び切り欠き部５１が形成されることで、天面部緩衝材４０及び天面部緩衝材５０を構成する材料の量を削減することができる。なお、天面部緩衝材４０及び天面部緩衝材５０は、別体として説明しているが、１つの部材として形成されてもよい。
【００３２】
（天面部外装段ボール材６０）
天面部外装段ボール材６０は、天面部緩衝材４０及び天面部緩衝材５０の上面部および周囲面部を被うように形成されたトレイ型の段ボール材であり、天面部緩衝材４０及び天面部緩衝材５０の外側に被せられるように構成される。天面部外装段ボール材６０は、天面部緩衝材４０及び天面部緩衝材５０に載置される平板状の天板部６１を有する。この天板部６１は、平面視で矩形状に形成されている。また、天面部外装段ボール材６０は、天板部６１の長手方向（Ｘ軸方向）の縁部に沿って、天板部６１の長手方向（Ｘ軸方向）に延びるように形成された対向する２つの長辺側壁部６２を有する。また、天面部外装段ボール材６０は、天板部６１の短手方向（Ｙ軸方向）の縁部に沿って、天板部６１の短手方向（Ｙ軸方向）に延びるように形成された対向する２つの短辺側壁部６３を有する。天面部外装段ボール材６０は、一枚の板状の天面部外装段ボール材６０の短辺側壁部６３と長辺側壁部６２とを折り曲げて接続させ、天面部外装段ボール材６０の側壁を形成することで、天板部６１を底面とした器状に形成されている。
【００３３】
（背面梱包材８０）
図９は、図３の背面梱包材８０の背面図である。図１〜図３及び図９を用いて背面梱包材８０について説明する。背面梱包材８０は、一対の底部緩衝材の間、すなわち右底部緩衝材１０及び左底部緩衝材２０との間に配置された状態で室外機１５０の熱交換器１８０を覆う。図１〜図３に示すように、室外機１５０を梱包する際には、熱交換器１８０は、室外機１５０の背面側から背面梱包材８０によって覆われる。背面梱包材８０は、被梱包体である熱交換器１８０を外的要因から保護するものであり、例えば、物流における荷扱い時の接触から被梱包体を保護する耐衝性と、被梱包体に係る圧力から被梱包体を保護する耐圧性とを有するものである。熱交換器１８０がフィンアンドチューブ型の熱交換器である場合、熱交換器１８０は、間隔を置いて並列に配置された複数の板状フィンと、複数の板状フィンと交差する複数の伝熱管と、を有する。特に、板状のフィンである場合に、フィンは接触により変形しやすい。背面梱包材８０は、熱交換器１８０を構成する板状のフィンを覆うことで、板状のフィンへの接触を防止することができ、これらの変形を防ぐことができる。
【００３４】
背面梱包材８０は、板状に形成されている。背面梱包材８０の素材は、例えば、段ボール材から形成されているが、背面梱包材８０の素材は、段ボール材に限定されるものではなく、例えば、樹脂材等から形成されてもよい。背面梱包材８０は、室外機１５０の包装状態において、上部が天面部外装段ボール材６０で固定され、下部が底部外装段ボール材３０で固定される。
【００３５】
図９に示すように、背面梱包材８０は、主板部８１と、主板部８１から下方に突出する突出部８２と、を有する。主板部８１は、矩形の板状に形成されており、主板部８１は、上縁部８１ａと、上縁部８１ａと対向する辺を構成する下縁部８１ｃと、上縁部８１ａと下縁部８１ｃとの間の辺を構成する主板側縁部８１ｂとを有する。主板側縁部８１ｂは、上縁部８１ａと下縁部８１ｃとの間に延びるように形成されている。なお、図９に示すように、主板部８１は矩形状に形成されているが、主板部８１の形状は矩形状に限定されるものではない。主板部８１は、背面梱包材８０が熱交換器１８０を覆う際に、熱交換器１８０と対向できればよく、例えば、円形状、楕円形状、多角形状等他の形状に形成されてもよい。
【００３６】
突出部８２は、主板部８１の下縁部８１ｃから突出する突出片であり、矩形の板状に形成された部分である。突出部８２は、背面梱包材８０が熱交換器１８０を覆う際に、底板部３１上に配置され、突出部８２の下縁部８２ｃは、底板部３１と当接する。突出部８２は、背面梱包材８０が底板部３１上に配置されると、切起こし片３５及び第１側壁部３２ａによって支持される。突出部８２は、背面梱包材８０が熱交換器１８０を覆う際に、切起こし片３５と、底板部３１と、長辺側壁部３２との間の空間に配置される。背面梱包材８０は、主板部８１と突出部８２とが一体に形成されている。そのため、背面梱包材８０には、主板部８１の下縁部８１ｃと、突出部８２の側縁部８２ｂとによって、切り欠き部８０ａが形成されている。
【００３７】
図１０は、図９の背面梱包材８０の変形例の背面図である。図１１は、図９の背面梱包材８０の、他の変形例の背面図である。突出部８２は、図９では、梱包装置１００の長手方向（Ｘ軸方向）に沿って、２つ形成されているが、突出部８２は、切起こし片３５及び第１側壁部３２ａによって支持できればよく、背面梱包材８０に形成される突出部８２の数量は限定されるものではない。例えば、突出部８２は、図１０に示す背面梱包材８０Ａのように、底板部３１の長手方向（Ｘ軸方向）に沿って配置されるように、背面梱包材８０の突出部８２と比較して大きなものが１つ設けられてもよい。また、突出部８２は、図１１に示す背面梱包材８０Ｂのように、底板部３１の長手方向（Ｘ軸方向）に沿うように、３つ形成されてもよい。また、突出部８２の側縁部８２ｂと主板部８１の主板側縁部８１ｂとが面一状に形成され、突出部８２と主板部８１とが一体となって全体として略矩形状に形成されてもよい。
【００３８】
（バンド部材７０）
図３に戻り、バンド部材７０は、室外機１５０に右底部緩衝材１０及び左底部緩衝材２０並びに天面部緩衝材４０及び天面部緩衝材５０が嵌めこまれ、それらを底部外装段ボール材３０及び天面部外装段ボール材６０で覆った状態を維持するためのものである。また、バンド部材７０は、熱交換器１８０を背面梱包材８０で覆った状態を維持するためのものである。バンド部材７０は、底部外装段ボール材３０及び天面部外装段ボール材６０の外側に掛けられる。図１に示すように、２本のバンド部材７０が室外機１５０の前後方向及び上下方向（Ｙ軸方向及びＺ軸方向）に配置されて掛けられており、１本のバンド部材７０が幅方向及び上下方向（Ｘ軸方向及びＺ軸方向）に配置されて掛けられている。なお、バンド部材７０は、図１に示すように、３本使用されているが、使用する本数は３本に限定されるものではなく、１本又は２本でもよく、４本以上であってもよい。
【００３９】
［梱包作業］
図３を用いて、梱包装置１００により室外機１５０を梱包する作業について説明する。上記のような梱包装置１００により室外機１５０を梱包するには、切起こし部３４が切り起こされた底部外装段ボール材３０を用意する。次に、切起こし部３４と短辺側壁部３３との間に右底部緩衝材１０を配置する。同様に、切起こし部３４と短辺側壁部３３との間に左底部緩衝材２０を配置する。
【００４０】
図１２は、右底部緩衝材１０及び左底部緩衝材２０を、底部外装段ボール材３０に配置した斜視図である。図４、図５、図９及び図１２を用いて、右底部緩衝材１０及び左底部緩衝材２０の、底部外装段ボール材３０への配置について説明する。右底部緩衝材１０を右底部緩衝材１０の底面部１１ｂを底板部３１に載置する。この際、右底部緩衝材１０は、第１側壁部３２ａと、第２側壁部３２ｂと、第３側壁部３３ａと、切起こし部３４との間に配置される。
【００４１】
右底部緩衝材１０が底部外装段ボール材３０に取り付けられると、右底部緩衝材１０の側面部１１ｃは、底部外装段ボール材３０の長辺側壁部３２と対向する。右底部緩衝材１０の側面部１１ｃと、底部外装段ボール材３０の長辺側壁部３２との間の隙間は小さい方が望ましく、側面部１１ｃは、長辺側壁部３２と当接していることが更に望ましい。
【００４２】
また、右底部緩衝材１０の外側面部１１ｄは、底部外装段ボール材３０の短辺側壁部３３と対向する。右底部緩衝材１０の外側面部１１ｄと、底部外装段ボール材３０の短辺側壁部３３との間の隙間は小さい方が望ましく、外側面部１１ｄは、短辺側壁部３３と当接していることが更に望ましい。
【００４３】
更に、右底部緩衝材１０の内側面部１１ｅは、切起こし部３４の短辺側縁部３５ｂと対向する。右底部緩衝材１０が底板部３１に載置された場合に、内側面部１１ｅは、水平方向において、切起こし部３４の短辺側縁部３５ｂと対向している。そのため、切起こし部３４は、右底部緩衝材１０の水平方向の移動を規制する。右底部緩衝材１０の内側面部１１ｅと、切起こし部３４の短辺側縁部３５ｂとの間の隙間は小さい方が望ましく、内側面部１１ｅは、短辺側縁部３５ｂと当接していることが更に望ましい。
【００４４】
したがって、右底部緩衝材１０が底部外装段ボール材３０に配置されると、右底部緩衝材１０は、短手方向（Ｙ軸方向）において、底部外装段ボール材３０の長辺側壁部３２によって挟まれる。そのため、右底部緩衝材１０は、長辺側壁部３２によって短手方向（Ｙ軸方向）の移動が規制される。梱包装置１００は、側面部１１ｃと長辺側壁部３２との間の隙間が小さいほど、室外機１５０を右底部緩衝材１０に載せる際に右底部緩衝材１０がずれてしまうことを抑制することができる。
【００４５】
また、右底部緩衝材１０が底部外装段ボール材３０に配置されると、右底部緩衝材１０は、長手方向（Ｘ軸方向）において、底部外装段ボール材３０の短辺側壁部３３と切起こし部３４とによって挟まれる。そのため、右底部緩衝材１０は、短辺側壁部３３と切起こし部３４とによって長手方向（Ｘ軸方向）の移動が規制される。梱包装置１００は、外側面部１１ｄと短辺側壁部３３との間の隙間、及び、内側面部１１ｅと短辺側縁部３５ｂとの間の隙間が小さいほど、室外機１５０を右底部緩衝材１０に載せる際に右底部緩衝材１０がずれてしまうことを抑制することができる。
【００４６】
同様に、左底部緩衝材２０を、切起こし部３４と短辺側壁部３３との間に配置し、左底部緩衝材２０の底面部２１ｂを底板部３１に載置する。この際、左底部緩衝材２０は、第１側壁部３２ａと、第２側壁部３２ｂと、第４側壁部３３ｂと、切起こし部３４との間に配置される。
【００４７】
左底部緩衝材２０が底部外装段ボール材３０に取り付けられると、左底部緩衝材２０の側面部２１ｃは、底部外装段ボール材３０の長辺側壁部３２と対向する。左底部緩衝材２０の側面部２１ｃと、底部外装段ボール材３０の長辺側壁部３２との間の隙間は小さい方が望ましく、側面部２１ｃは、長辺側壁部３２と当接していることが更に望ましい。
【００４８】
また、左底部緩衝材２０の外側面部２１ｄは、底部外装段ボール材３０の短辺側壁部３３と対向する。左底部緩衝材２０の外側面部２１ｄと、底部外装段ボール材３０の短辺側壁部３３との間の隙間は小さい方が望ましく、外側面部２１ｄは、短辺側壁部３３と当接していることが更に望ましい。
【００４９】
更に、左底部緩衝材２０の内側面部２１ｅは、切起こし部３４の短辺側縁部３５ｂと対向する。左底部緩衝材２０が底板部３１に載置された場合に、内側面部２１ｅは、水平方向において、切起こし部３４の短辺側縁部３５ｂと対向している。そのため、切起こし部３４は、左底部緩衝材２０の水平方向の移動を規制する。左底部緩衝材２０の内側面部２１ｅと、切起こし部３４の短辺側縁部３５ｂとの間の隙間は小さい方が望ましく、内側面部２１ｅは、短辺側縁部３５ｂと当接していることが更に望ましい。
【００５０】
したがって、左底部緩衝材２０が底部外装段ボール材３０に配置されると、左底部緩衝材２０は、短手方向（Ｙ軸方向）において、底部外装段ボール材３０の長辺側壁部３２によって挟まれる。そのため、左底部緩衝材２０は、長辺側壁部３２によって短手方向（Ｙ軸方向）の移動が規制される。梱包装置１００は、側面部２１ｃと長辺側壁部３２との間の隙間が小さいほど、室外機１５０を左底部緩衝材２０に載せる際に左底部緩衝材２０がずれてしまうことを抑制することができる。
【００５１】
また、左底部緩衝材２０が底部外装段ボール材３０に配置されると、左底部緩衝材２０は、長手方向（Ｘ軸方向）において、底部外装段ボール材３０の短辺側壁部３３と切起こし部３４とによって挟まれる。そのため、左底部緩衝材２０は、短辺側壁部３３と切起こし部３４とによって長手方向（Ｘ軸方向）の移動が規制される。梱包装置１００は、外側面部２１ｄと短辺側壁部３３との間の隙間、及び、内側面部２１ｅと短辺側縁部３５ｂとの間の隙間が小さいほど、室外機１５０を左底部緩衝材２０に載せる際に左底部緩衝材２０がずれてしまうことを抑制することができる。
【００５２】
図３に戻り、室外機１５０の底部１５１を右底部緩衝材１０及び左底部緩衝材２０の上に載置する。また、室外機１５０の一対の脚部１５４をそれぞれ凹部１２及び凹部２２に嵌入する。背面梱包材８０の突出部８２を、切起こし部３４と、切起こし部３４に隣接する第１側壁部３２ａとの間に配置し、切起こし部３４と第１側壁部３２ａとによって、背面梱包材８０が倒れないように背面梱包材８０を支持させる。ついで、室外機１５０の天面部１５２に天面部緩衝材４０及び天面部緩衝材５０を載置して、その上に天面部外装段ボール材６０を嵌合して覆う。この際、背面梱包材８０が倒れないように、天面部外装段ボール材６０によって、背面梱包材８０の上部が固定される。その後、底部外装段ボール材３０と天面部外装段ボール材６０との間に１つ又は複数のバンド部材７０を掛けて緊縛し、固定すれば室外機１５０の梱包作業が終了する。なお、ここで説明した梱包作業の順番は一例であり、各工程の順番が入れ替わってもよい。
【００５３】
図１３は、図２の梱包装置１００の簡略化したＡ−Ａ線断面図である。図１４は、図１３の梱包装置１００のＢ部を拡大した概念図である。図１３及び図１４に示すように、背面梱包材８０の突出部８２は、背面梱包材８０が熱交換器１８０を覆う際に、底板部３１上に配置され、突出部８２の下縁部８２ｃは、底板部３１と当接する。また、背面梱包材８０の突出部８２は、背面梱包材８０が熱交換器１８０を覆う際に、切起こし部３４と、底板部３１と、長辺側壁部３２との間の空間に配置される。背面梱包材８０の突出部８２は、切起こし部３４と、底板部３１と、長辺側壁部３２との間の空間に配置されると、一方の面は、切起こし部３４と対向し、他方の面は、長辺側壁部３２と対向する。そのため、背面梱包材８０は、底板部３１上に立てた状態で配置されると、背面梱包材８０の下部が、切起こし部３４と第１側壁部３２ａとによって支持される。また、背面梱包材８０が熱交換器１８０を覆う際に、背面梱包材８０は、背面梱包材８０の下端部に形成された突出部８２が、梱包装置１００の短手方向（Ｙ軸方向）に移動することを規制される。
【００５４】
（梱包装置１００の作用効果）
室外機１５０の梱包装置１００は、底板部３１が底板部３１から切り起こしにより形成される切起こし部３４を有している。この切起こし部３４は、右底部緩衝材１０及び左底部緩衝材２０が底板部３１に載置された状態において右底部緩衝材１０と左底部緩衝材２０との間に形成されており、切り起こされた状態では第１側壁部３２ａと対向する。そして、背面梱包材８０は、底板部３１上に立てた状態で配置されると、背面梱包材８０の下部が、切起こし部３４と第１側壁部３２ａとによって支持されるものである。その結果、室外機１５０の梱包装置１００は、右底部緩衝材１０及び左底部緩衝材２０と底部外装段ボール材３０との間に背面梱包材８０を挿し込むための隙間を形成する必要がない。また、室外機１５０の梱包作業時に、右底部緩衝材１０及び左底部緩衝材２０と底部外装段ボール材３０との間に背面梱包材８０を挿し込む必要がないので、作業者は、作業性よく底部外装段ボール材３０上に背面梱包材８０を支持させることができる。
【００５５】
また、切起こし部３４の基部は、底板部３１を垂直方向に見た平面視において、第１側壁部３２ａの基部３２ｃと平行に形成されている。そのため、背面梱包材８０は、切起こし部３４及び第１側壁部３２ａと平行に当接させることができ、背面梱包材８０を安定した状態で底部外装段ボール材３０上に配置させることができる。
【００５６】
また、切起こし部３４は、右底部緩衝材１０と左底部緩衝材２０との間の延びる１つの切起こし片３５で形成されている。第１側壁部３２ａと対向する切起こし片３５の面積が大きくなるほど、背面梱包材８０の支持を強化することができ、底板部３１に設置される背面梱包材８０が倒れにくくなる。
【００５７】
また、切起こし部３４は、複数の切起こし片３５で形成されており、複数の切起こし片３５は、第１側壁部３２ａに沿って並んで配置されている。底板部３１における切起こし部３４の領域は一定のため、複数の切起こし片３５を形成することで底板部３１に形成される切起こし孔部３５ｄの面積を小さくすることができる。そのため、切起こし部３４が複数の切起こし片３５で形成される場合は、切起こし部３４が１つの切起こし片３５で形成される場合と比較して、底板部３１の強度を確保することができる。
【００５８】
また、切起こし片３５は、矩形の板状に形成されており、一辺が底板部３１と接続している。そのため、背面梱包材８０は、切起こし部３４及び第１側壁部３２ａと平行に当接させることができ、背面梱包材８０を安定した状態で底部外装段ボール材３０上に配置させることができる。
【００５９】
また、右底部緩衝材１０及び左底部緩衝材２０が、底板部３１に載置された場合に、内側面部１１ｅ及び内側面部２１ｅは、水平方向において、切起こし部３４の短辺側縁部３５ｂと対向している。そして、切起こし部３４は、右底部緩衝材１０及び左底部緩衝材２０の水平方向の移動を規制する。このため、室外機１５０を右底部緩衝材１０及び左底部緩衝材２０に載せる際に右底部緩衝材１０及び左底部緩衝材２０がずれてしまうことを抑制することができる。
【００６０】
また、右底部緩衝材１０及び左底部緩衝材２０の、内側面部１１ｅ及び内側面部２１ｅは、短辺側縁部３５ｂと当接する。このため、切起こし部３４は、右底部緩衝材１０及び左底部緩衝材２０の水平方向の移動を更に規制し、室外機１５０を右底部緩衝材１０及び左底部緩衝材２０に載せる際に右底部緩衝材１０及び左底部緩衝材２０がずれてしまうことを抑制することができる。
【００６１】
また、右底部緩衝材１０は、第１側壁部３２ａと、第２側壁部３２ｂと、第３側壁部３３ａと、切起こし部３４との間に配置される。また、左底部緩衝材２０は、第１側壁部３２ａと、第２側壁部３２ｂと、第４側壁部３３ｂと、切起こし部３４との間に配置される。このため、梱包装置１００は、右底部緩衝材１０及び左底部緩衝材２０の水平方向の移動を更に規制し、室外機１５０を右底部緩衝材１０及び左底部緩衝材２０に載せる際に右底部緩衝材１０及び左底部緩衝材２０がずれてしまうことを抑制することができる。
【００６２】
実施の形態２．
図１５は、本発明の実施の形態２に係る梱包装置１００Ａの斜視図である。図１６は、図１５の右底部緩衝材１０Ａ及び左底部緩衝材２０Ａの拡大図である。図１〜図１４の梱包装置１００と同一の構成を有する部位には同一の符号を付してその説明を省略する。本発明の実施の形態２に係る梱包装置１００Ａで特に記述しない項目については、発明の実施の形態１に係る梱包装置１００と同様とし、同一の機能及び構成については同一の符号を用いて述べることとする。実施の形態２の梱包装置１００Ａは、右底部緩衝材１０Ａ及び左底部緩衝材２０Ａの構成に特徴がある。以下、図１５及び図１６を用いて右底部緩衝材１０Ａ及び左底部緩衝材２０Ａについて説明する。
【００６３】
図１６に示すように、右底部緩衝材１０Ａには、溝部１５及び切り欠き部１６が形成されている。溝部１５は、内側面部１１ｅに形成された凹んだ溝であり、右底部緩衝材１０Ａの上下方向（Ｚ軸方向）に延びるように形成された溝である。溝部１５を構成する溝の底面は、溝壁面部１５ｂによって形成されている。したがって、内側面部１１ｅは、右底部緩衝材１０Ａの最も外側の壁を形成する内側表面部１１ｅ１と、内側表面部１１ｅ１から外側面部１１ｄに近づいて形成された壁部を構成する溝壁面部１５ｂとを有する。内側面部１１ｅは、内側表面部１１ｅ１と溝壁面部１５ｂとの間に段差が生じている。内側表面部１１ｅ１は、内側面部１１ｅの第１内側壁部であり、溝壁面部１５ｂは、内側面部１１ｅの第２内側壁部である。溝部１５は、溝壁面部１５ｂと、内側表面部１１ｅ１と溝壁面部１５ｂとの間の壁を形成し、内側面部１１ｅと溝壁面部１５ｂとの間に段差を形成する前縦壁部１５ａ１及び後縦壁部１５ａ２とによって形成されている。溝部１５において、前縦壁部１５ａ１と後縦壁部１５ａ２とは対向する壁を構成する。
【００６４】
切り欠き部１６は、上面部１１ａと、側面部１１ｃと、内側面部１１ｅとによって形成された角部が切り欠かれた部分である。切り欠き部１６は、右底部緩衝材１０Ａの前面側と背面側とに間において、背面側に形成されている。すなわち、切り欠き部１６は、梱包装置１００Ａの前後方向において、背面梱包材８０が配置される側に形成されている。切り欠き部１６は、主板部８１の前方側の板面と対向する背面縦壁部１６ａと、主板部８１の主板側縁部８１ｂと対向する側面縦壁部１６ｂと、主板部８１の下縁部８１ｃと対向する中間底面部１６ｃと、によって形成されている。背面縦壁部１６ａは、背面側の側面部１１ｃから前面側の側面部１１ｃに近づいて形成された壁部であり、側面縦壁部１６ｂは、内側面部１１ｅから外側面部１１ｄに近づいて形成された壁部である。中間底面部１６ｃは、上面部１１ａから底面部１１ｂに近づいて形成された壁部である。背面縦壁部１６ａ及び側面縦壁部１６ｂは、切り欠き部１６の側壁面を形成し、中間底面部１６ｃは、切り欠き部１６の底壁面を形成する。底面部１１ｂと中間底面部１６ｃとの間の距離Ｈ１は、背面梱包材８０の突出部８２における側縁部８２ｂの長さよりも小さい。
【００６５】
同様に、図１６に示すように、左底部緩衝材２０Ａには、溝部２５及び切り欠き部２６が形成されている。溝部２５は、内側面部２１ｅに形成された凹んだ溝であり、左底部緩衝材２０Ａの上下方向（Ｚ軸方向）に延びるように形成された溝である。溝部２５を構成する溝の底面は、溝壁面部２５ｂによって形成されている。したがって、内側面部２１ｅは、左底部緩衝材２０Ａの最も外側の壁を形成する内側表面部２１ｅ１と、内側表面部２１ｅ１から外側面部２１ｄに近づいて形成された壁部を構成する溝壁面部２５ｂとを有する。内側面部２１ｅは、内側表面部２１ｅ１と溝壁面部２５ｂとの間に段差が生じている。内側表面部２１ｅ１は、内側面部２１ｅの第１内側壁部であり、溝壁面部２５ｂは、内側面部２１ｅの第２内側壁部である。溝部２５は、溝壁面部２５ｂと、内側表面部２１ｅ１と溝壁面部２５ｂとの間の壁を形成し、内側面部２１ｅと溝壁面部２５ｂとの間に段差を形成する前縦壁部２５ａ１及び後縦壁部２５ａ２とによって形成されている。溝部２５において、前縦壁部２５ａ１と後縦壁部２５ａ２とは対向する壁を構成する。
【００６６】
切り欠き部２６は、上面部２１ａと、側面部２１ｃと、内側面部２１ｅとによって形成された角部が切り欠かれた部分である。切り欠き部２６は、左底部緩衝材２０Ａの前面側と背面側とに間において、背面側に形成されている。すなわち、切り欠き部２６は、梱包装置１００Ａの前後方向において、背面梱包材８０が配置される側に形成されている。切り欠き部２６は、主板部８１の前方側の板面と対向する背面縦壁部２６ａと、主板部８１の主板側縁部８１ｂと対向する側面縦壁部２６ｂと、主板部８１の下縁部８１ｃと対向する中間底面部２６ｃと、によって形成されている。背面縦壁部２６ａは、背面側の側面部２１ｃから前面側の側面部２１ｃに近づいて形成された壁部であり、側面縦壁部２６ｂは、内側面部２１ｅから外側面部２１ｄに近づいて形成された壁部である。中間底面部２６ｃは、上面部２１ａから底面部２１ｂに近づいて形成された壁部である。背面縦壁部２６ａ及び側面縦壁部２６ｂは、切り欠き部２６の側壁面を形成し、中間底面部２６ｃは、切り欠き部２６の底壁面を形成する。底面部２１ｂと中間底面部２６ｃとの間の距離Ｈ１は、背面梱包材８０の突出部８２における側縁部８２ｂの長さよりも小さい。
【００６７】
図１７は、右底部緩衝材１０Ａ及び左底部緩衝材２０Ａを、底部外装段ボール材３０に配置した斜視図である。図４、図５、図９及び図１７を用いて、右底部緩衝材１０Ａ及び左底部緩衝材２０Ａの、底部外装段ボール材３０への配置について説明する。右底部緩衝材１０Ａを、右底部緩衝材１０Ａの底面部１１ｂを底板部３１に載置する。この際、右底部緩衝材１０Ａは、第１側壁部３２ａと、第２側壁部３２ｂと、第３側壁部３３ａと、切起こし部３４との間に配置される。また、右底部緩衝材１０Ａは、溝部１５に切起こし部３４の長手方向（Ｘ軸方向）の端部が配置されるように、底部外装段ボール材３０に取り付けられる。右底部緩衝材１０Ａが底板部３１に載置された場合に、切起こし部３４の短辺側縁部３５ｂは、溝部１５に配置されている。右底部緩衝材１０Ａに形成された溝部１５は、右底部緩衝材１０Ａを底部外装段ボール材３０に取り付ける際の、底部外装段ボール材３０に対する右底部緩衝材１０Ａの位置を決定するために利用される。
【００６８】
右底部緩衝材１０Ａが底部外装段ボール材３０に取り付けられると、右底部緩衝材１０Ａの側面部１１ｃは、底部外装段ボール材３０の長辺側壁部３２と対向する。右底部緩衝材１０Ａの側面部１１ｃと、底部外装段ボール材３０の長辺側壁部３２との間の隙間は小さい方が望ましく、側面部１１ｃは、長辺側壁部３２と当接していることが更に望ましい。
【００６９】
また、右底部緩衝材１０Ａの外側面部１１ｄは、底部外装段ボール材３０の短辺側壁部３３と対向する。右底部緩衝材１０Ａの外側面部１１ｄと、底部外装段ボール材３０の短辺側壁部３３との間の隙間は小さい方が望ましく、外側面部１１ｄは、短辺側壁部３３と当接していることが更に望ましい。
【００７０】
更に、右底部緩衝材１０Ａの内側面部１１ｅは、切起こし部３４の短辺側縁部３５ｂと対向する。右底部緩衝材１０Ａが底板部３１に載置された場合に、内側面部１１ｅは、水平方向において、切起こし部３４の短辺側縁部３５ｂと対向している。そのため、切起こし部３４は、右底部緩衝材１０Ａの水平方向の移動を規制する。右底部緩衝材１０Ａの内側面部１１ｅと、切起こし部３４の短辺側縁部３５ｂとの間の隙間は小さい方が望ましく、内側面部１１ｅは、短辺側縁部３５ｂと当接していることが更に望ましい。
【００７１】
なお、右底部緩衝材１０Ａの内側面部１１ｅに形成された溝部１５の溝壁面部１５ｂは、切起こし部３４の短辺側縁部３５ｂと対向する。内側面部１１ｅの溝壁面部１５ｂと、切起こし部３４の短辺側縁部３５ｂとの間の隙間は小さい方が望ましく、内側面部１１ｅの溝壁面部１５ｂは、短辺側縁部３５ｂと当接していることが更に望ましい。
【００７２】
したがって、右底部緩衝材１０Ａが底部外装段ボール材３０に配置されると、右底部緩衝材１０Ａは、短手方向（Ｙ軸方向）において、底部外装段ボール材３０の長辺側壁部３２によって挟まれる。そのため、右底部緩衝材１０Ａは、長辺側壁部３２によって短手方向（Ｙ軸方向）の移動が規制される。梱包装置１００Ａは、側面部１１ｃと長辺側壁部３２との間の隙間が小さいほど、室外機１５０を右底部緩衝材１０Ａに載せる際に右底部緩衝材１０Ａがずれてしまうことを抑制することができる。
【００７３】
また、右底部緩衝材１０Ａが底部外装段ボール材３０に配置されると、右底部緩衝材１０Ａは、長手方向（Ｘ軸方向）において、底部外装段ボール材３０の短辺側壁部３３と切起こし部３４とによって挟まれる。そのため、右底部緩衝材１０Ａは、短辺側壁部３３と切起こし部３４とによって長手方向（Ｘ軸方向）の移動が規制される。梱包装置１００Ａは、外側面部１１ｄと短辺側壁部３３との間の隙間、及び、内側面部１１ｅの溝壁面部１５ｂと短辺側縁部３５ｂとの間の隙間が小さいほど、室外機１５０を右底部緩衝材１０Ａに載せる際に右底部緩衝材１０Ａがずれてしまうことを抑制することができる。
【００７４】
同様に、左底部緩衝材２０Ａを、切起こし部３４と短辺側壁部３３との間に配置し、左底部緩衝材２０Ａの底面部２１ｂを底板部３１に載置する。この際、左底部緩衝材２０Ａは、第１側壁部３２ａと、第２側壁部３２ｂと、第４側壁部３３ｂと、切起こし部３４との間に配置される。また、左底部緩衝材２０Ａは、切起こし部３４の長手方向（Ｘ軸方向）の端部が溝部２５に配置されるように、底部外装段ボール材３０に取り付けられる。左底部緩衝材２０Ａが底板部３１に載置された場合に、切起こし部３４の短辺側縁部３５ｂは、溝部２５に配置されている。左底部緩衝材２０Ａに形成された溝部２５は、左底部緩衝材２０Ａを底部外装段ボール材３０に取り付ける際の、底部外装段ボール材３０に対する左底部緩衝材２０Ａの位置を決定するために利用される。
【００７５】
左底部緩衝材２０Ａが底部外装段ボール材３０に取り付けられると、左底部緩衝材２０Ａの側面部２１ｃは、底部外装段ボール材３０の長辺側壁部３２と対向する。左底部緩衝材２０Ａの側面部２１ｃと、底部外装段ボール材３０の長辺側壁部３２との間の隙間は小さい方が望ましく、側面部２１ｃは、長辺側壁部３２と当接していることが更に望ましい。
【００７６】
また、左底部緩衝材２０Ａの外側面部２１ｄは、底部外装段ボール材３０の短辺側壁部３３と対向する。左底部緩衝材２０Ａの外側面部２１ｄと、底部外装段ボール材３０の短辺側壁部３３との間の隙間は小さい方が望ましく、外側面部２１ｄは、短辺側壁部３３と当接していることが更に望ましい。
【００７７】
更に、左底部緩衝材２０Ａの内側面部２１ｅは、切起こし部３４の短辺側縁部３５ｂと対向する。左底部緩衝材２０Ａが底板部３１に載置された場合に、内側面部２１ｅは、水平方向において、切起こし部３４の短辺側縁部３５ｂと対向している。そのため、切起こし部３４は、左底部緩衝材２０Ａの水平方向の移動を規制する。左底部緩衝材２０Ａの内側面部２１ｅと、切起こし部３４の短辺側縁部３５ｂとの間の隙間は小さい方が望ましく、内側面部２１ｅは、短辺側縁部３５ｂと当接していることが更に望ましい。
【００７８】
なお、左底部緩衝材２０Ａの内側面部２１ｅに形成された溝部２５の溝壁面部２５ｂは、切起こし部３４の短辺側縁部３５ｂと対向する。内側面部２１ｅの溝壁面部２５ｂと、切起こし部３４の短辺側縁部３５ｂとの間の隙間は小さい方が望ましく、内側面部２１ｅの溝壁面部２５ｂは、短辺側縁部３５ｂと当接していることが更に望ましい。
【００７９】
したがって、左底部緩衝材２０Ａが底部外装段ボール材３０に配置されると、左底部緩衝材２０Ａは、短手方向（Ｙ軸方向）において、底部外装段ボール材３０の長辺側壁部３２によって挟まれる。そのため、左底部緩衝材２０Ａは、長辺側壁部３２によって短手方向（Ｙ軸方向）の移動が規制される。梱包装置１００Ａは、側面部２１ｃと長辺側壁部３２との間の隙間が小さいほど、室外機１５０を左底部緩衝材２０Ａに載せる際に左底部緩衝材２０Ａがずれてしまうことを抑制することができる。
【００８０】
また、左底部緩衝材２０Ａが底部外装段ボール材３０に配置されると、左底部緩衝材２０Ａは、長手方向（Ｘ軸方向）において、底部外装段ボール材３０の短辺側壁部３３と切起こし部３４とによって挟まれる。そのため、左底部緩衝材２０Ａは、短辺側壁部３３と切起こし部３４とによって長手方向（Ｘ軸方向）の移動が規制される。梱包装置１００Ａは、外側面部２１ｄと短辺側壁部３３との間の隙間、及び、内側面部２１ｅの溝壁面部２５ｂと短辺側縁部３５ｂとの間の隙間が小さいほど、室外機１５０を左底部緩衝材２０Ａに載せる際に左底部緩衝材２０Ａがずれてしまうことを抑制することができる。
【００８１】
図１８は、図１７の切起こし部３４及び左底部緩衝材２０ＡのＣ部拡大図である。図１９は、図１８の切起こし部３４及び左底部緩衝材２０ＡのＤ部における簡略化した拡大断面図である。図１８に示すように、左底部緩衝材２０Ａが底部外装段ボール材３０の底板部３１上に配置されると、切起こし片３５の短辺側縁部３５ｂは、溝壁面部２５ｂと対向する。また、切起こし片３５の一方の面は、前縦壁部２５ａ１と対向し、他方の面は後縦壁部２５ａ２と対向する。すなわち、切起こし部３４は、左底部緩衝材２０Ａが底板部３１に載置された場合に、背面梱包材８０が配置される側とは反対側の壁面が、溝部２５を構成する前縦壁部２５ａ１と対向する。
【００８２】
図１９に示すように、左底部緩衝材２０Ａを構成する内側面部２１ｅの角壁部２０ａ１が、切起こし孔部３５ｄの上方を覆う。角壁部２０ａ１は、内側面部２１ｅの内側表面部２１ｅ１と前縦壁部２５ａ１とによって形成される壁部である。したがって、前縦壁部２５ａ１は、切起こし孔部３５ｄの上方に配置される。そして、角壁部２０ａ１を構成する前縦壁部２５ａ１は、梱包装置１００Ａの前方側から背面側に向かって切起こし片３５を支持するように形成されている。切起こし部３４は、背面梱包材８０が配置される側とは反対側に倒れた状態では前縦壁部２５ａ１と当接し、切起こし部３４は、前縦壁部２５ａ１によって更に支持される。
【００８３】
したがって、梱包装置１００Ａは、前方から後方にかけて、角壁部２０ａ１を構成する前縦壁部２５ａ１、切起こし片３５、背面梱包材８０の順に配置される。梱包装置１００Ａは、角壁部２０ａ１を構成する前縦壁部２５ａ１を有することで、切起こし片３５を支持し、切起こし片３５が前方に倒れることを規制する。
【００８４】
なお、図示は省略するが、切起こし片３５と右底部緩衝材１０Ａとの関係は、切起こし片３５と左底部緩衝材２０Ａとの関係と同じである。右底部緩衝材１０Ａが底部外装段ボール材３０の底板部３１上に配置されると、切起こし片３５の短辺側縁部３５ｂは、溝壁面部１５ｂと対向する。また、切起こし片３５の一方の面は、前縦壁部１５ａ１と対向し、他方の面は後縦壁部１５ａ２と対向する。すなわち、切起こし部３４は、右底部緩衝材１０Ａが底板部３１に載置された場合に、背面梱包材８０が配置される側とは反対側の壁面が、溝部１５を構成する前縦壁部１５ａ１と対向する。
【００８５】
また、右底部緩衝材１０Ａを構成する内側面部１１ｅの角壁部１０ａ１が、切起こし孔部３５ｄの上方を覆う。角壁部１０ａ１は、図１６に示すように、内側面部１１ｅの内側表面部１１ｅ１と前縦壁部１５ａ１とによって形成される壁部である。したがって、前縦壁部１５ａ１は、切起こし孔部３５ｄの上方に配置される。そして、角壁部１０ａ１を構成する前縦壁部１５ａ１は、梱包装置１００Ａの前方側から背面側に向かって切起こし片３５を支持するように形成されている。切起こし部３４は、背面梱包材８０が配置される側とは反対側に倒れた状態では前縦壁部１５ａ１と当接し、切起こし部３４は、前縦壁部１５ａ１によって更に支持される。
【００８６】
したがって、梱包装置１００Ａは、前方から後方にかけて、角壁部１０ａ１を構成する前縦壁部１５ａ１、切起こし片３５、背面梱包材８０の順に配置される。梱包装置１００Ａは、角壁部１０ａ１を構成する前縦壁部１５ａ１を有することで、切起こし片３５を支持し、切起こし片３５が前方に倒れることを規制する。
【００８７】
図２０は、本発明の実施の形態２の梱包装置１００Ａを構成する背面梱包材８０と右底部緩衝材１０Ａ及び左底部緩衝材２０Ａとを組み合わせた斜視図である。図２１は、図２０の背面梱包材８０及び右底部緩衝材１０ＡのＥ部の拡大図である。図２０及び図２１に示すように、背面梱包材８０が、底板部３１上に配置されると、主板部８１の下端部は、切り欠き部１６に配置される。
【００８８】
主板部８１の２つの主板側縁部８１ｂ間の長さは、内側面部１１ｅの内側表面部１１ｅ１と内側面部２１ｅの内側表面部２１ｅ１との間の距離よりも大きく、切り欠き部１６の側面縦壁部１６ｂと、切り欠き部２６の側面縦壁部２６ｂとの間の距離よりも小さい。突出部８２の突出方向の長さＨ２は、中間底面部１６ｃと底板部３１との間の距離Ｈ１よりも大きい。すなわち、突出部８２の側縁部８２ｂの長さＨ２は、中間底面部１６ｃと底板部３１との間の距離Ｈ１よりも大きい。切り欠き部１６の大きさは、背面梱包材８０を組み付ける際の作業性を考慮し、適宜設定するものとする。
【００８９】
なお、図示は省略するが、背面梱包材８０と左底部緩衝材２０Ａとの関係は、背面梱包材８０と右底部緩衝材１０Ａとの関係と同じである。背面梱包材８０が、底板部３１上に配置されると、主板部８１の下端部は、切り欠き部２６に配置される。
【００９０】
突出部８２の突出方向の長さＨ２は、中間底面部２６ｃと底板部３１との間の距離Ｈ１よりも大きい。すなわち、突出部８２の側縁部８２ｂの長さＨ２は、中間底面部２６ｃと底板部３１との間の距離Ｈ１よりも大きい。なお、中間底面部２６ｃと底板部３１との間の距離Ｈ１は、図１６に示している。切り欠き部２６の大きさは、背面梱包材８０を組み付ける際の作業性を考慮し、適宜設定するものとする。
【００９１】
（梱包装置１００Ａの作用効果）
内側面部１１ｅには溝部１５が形成されており、内側面部２１ｅには溝部２５が形成されている。切起こし部３４の短辺側縁部３５ｂは、溝部１５及び溝部２５に配置されている。そのため、作業者は、溝部１５及び溝部２５を利用して、右底部緩衝材１０及び左底部緩衝材２０の底板部３１に対する位置決めを容易に行うことができる。
【００９２】
また、切起こし部３４は、背面梱包材８０が配置される側とは反対側の壁面が、溝部１５を構成する前縦壁部１５ａ１と対向する。同様に、切起こし部３４は、背面梱包材８０が配置される側とは反対側の壁面が、溝部２５を構成する前縦壁部２５ａ１と対向する。そのため、切起こし部３４は、前縦壁部１５ａ１及び前縦壁部２５ａ１によって切起こし片３５が支持され、切起こし片３５が前方に倒れることが規制される。
【００９３】
また、切起こし部３４は、背面梱包材８０が配置される側とは反対側に倒れた状態では前縦壁部１５ａ１及び前縦壁部２５ａ１と当接し、前縦壁部１５ａ１及び前縦壁部２５ａ１によって更に支持される。そのため、切起こし部３４は、前縦壁部１５ａ１及び前縦壁部２５ａ１によって切起こし片３５が支持され、切起こし片３５が前方に倒れることが規制される。
【００９４】
また、切り欠き部１６は、主板部８１の前方側の板面と対向する背面縦壁部１６ａと、主板部８１の主板側縁部８１ｂと対向する側面縦壁部１６ｂと、主板部８１の下縁部８１ｃと対向する中間底面部１６ｃと、によって形成されている。そのため、背面梱包材８０が底板部３１上に配置されると、主板部８１の前方側の面は、切り欠き部１６の背面縦壁部１６ａと対向する。背面梱包材８０が底板部３１上に配置されると、主板部８１の前方側の面は、切り欠き部１６の背面縦壁部１６ａと対向するため、背面梱包材８０の取り付け時に背面梱包材８０の位置決めが容易になる。また、背面梱包材８０が底板部３１上に配置されると、主板部８１の主板側縁部８１ｂと、切り欠き部１６の側面縦壁部１６ｂとが対向する。背面梱包材８０が底板部３１上に配置されると、主板部８１の主板側縁部８１ｂと、切り欠き部１６の側面縦壁部１６ｂとが対向するため、背面梱包材８０の取り付け時に背面梱包材８０の位置決めが容易になる。また、切り欠き部１６の側面縦壁部１６ｂは、主板部８１の主板側縁部８１ｂと当接することで、背面梱包材８０の長手方向（Ｘ軸方向）の移動を規制することができる。そのため、梱包装置１００Ａは、背面梱包材８０の位置ずれによる熱交換器１８０の傷つきを抑制することができる。
【００９５】
また、切り欠き部２６は、主板部８１の前方側の板面と対向する背面縦壁部２６ａと、主板部８１の主板側縁部８１ｂと対向する側面縦壁部２６ｂと、主板部８１の下縁部８１ｃと対向する中間底面部２６ｃと、によって形成されている。背面梱包材８０が底板部３１上に配置されると、主板部８１の前方側の面は、切り欠き部２６の背面縦壁部２６ａと対向する。背面梱包材８０が底板部３１上に配置されると、主板部８１の前方側の面は、切り欠き部２６の背面縦壁部２６ａと対向するため、背面梱包材８０の取り付け時に背面梱包材８０の位置決めが容易になる。また、背面梱包材８０が底板部３１上に配置されると、主板部８１の主板側縁部８１ｂと、切り欠き部２６の側面縦壁部２６ｂとが対向する。背面梱包材８０が底板部３１上に配置されると、主板部８１の主板側縁部８１ｂと、切り欠き部２６の側面縦壁部２６ｂとが対向するため、背面梱包材８０の取り付け時に背面梱包材８０の位置決めが容易になる。また、切り欠き部２６の側面縦壁部２６ｂは、主板部８１の主板側縁部８１ｂと当接することで、背面梱包材８０の長手方向（Ｘ軸方向）の移動を規制することができる。そのため、梱包装置１００Ａは、背面梱包材８０の位置ずれによる熱交換器１８０の傷つきを抑制することができる。
【００９６】
本発明の実施の形態は上記実施の形態に限定されない。例えば、梱包装置１００及び梱包装置１００Ａは、切起こし部３４が、短手方向（Ｙ軸方向）の一方の長辺側壁部３２に沿って形成されている。しかし、切起こし部３４は、短手方向（Ｙ軸方向）の両方の長辺側壁部３２に沿ってそれぞれ形成されてもよい。梱包装置１００及び梱包装置１００Ａが当該構成を備えることで、短手方向（Ｙ軸方向）の両端の位置で、切起こし部３４と内側面部１１ｅとを対向させることができる。そのため、梱包装置１００及び梱包装置１００Ａは、当該構成を備えることで右底部緩衝材１０及び右底部緩衝材１０Ａの回転を規制することができる。同様に梱包装置１００及び梱包装置１００Ａが当該構成を備えることで、短手方向（Ｙ軸方向）の両端の位置で、切起こし部３４と内側面部２１ｅとを対向させることができる。そのため、梱包装置１００及び梱包装置１００Ａは、当該構成を備えることで左底部緩衝材２０及び左底部緩衝材２０Ａの回転を規制することができる。
【符号の説明】
【００９７】
１０  右底部緩衝材、１０Ａ  右底部緩衝材、１０ａ１  角壁部、１１ａ  上面部、１１ｂ  底面部、１１ｃ  側面部、１１ｄ  外側面部、１１ｅ  内側面部、１１ｅ１  内側表面部、１２  凹部、１５  溝部、１５ａ１  前縦壁部、１５ａ２  後縦壁部、１５ｂ  溝壁面部、１６  切り欠き部、１６ａ  背面縦壁部、１６ｂ  側面縦壁部、１６ｃ  中間底面部、２０  左底部緩衝材、２０Ａ  左底部緩衝材、２０ａ１  角壁部、２１ａ  上面部、２１ｂ  底面部、２１ｃ  側面部、２１ｄ  外側面部、２１ｅ  内側面部、２１ｅ１  内側表面部、２２  凹部、２５  溝部、２５ａ１  前縦壁部、２５ａ２  後縦壁部、２５ｂ  溝壁面部、２６  切り欠き部、２６ａ  背面縦壁部、２６ｂ  側面縦壁部、２６ｃ  中間底面部、３０  底部外装段ボール材、３０Ａ  底部外装段ボール材、３０Ｂ  底部外装段ボール材、３１  底板部、３２  長辺側壁部、３２ａ  第１側壁部、３２ｂ  第２側壁部、３２ｃ  基部、３３  短辺側壁部、３３ａ  第３側壁部、３３ｂ  第４側壁部、３４  切起こし部、３５  切起こし片、３５ａ  長辺縁部、３５ｂ  短辺側縁部、３５ｃ  谷折部、３５ｄ  切起こし孔部、４０  天面部緩衝材、４１  切り欠き部、５０  天面部緩衝材、５１  切り欠き部、６０  天面部外装段ボール材、６１  天板部、６２  長辺側壁部、６３  短辺側壁部、７０  バンド部材、８０  背面梱包材、８０Ａ  背面梱包材、８０Ｂ  背面梱包材、８０ａ  切り欠き部、８１  主板部、８１ａ  上縁部、８１ｂ  主板側縁部、８１ｃ  下縁部、８２  突出部、８２ｂ  側縁部、８２ｃ  下縁部、１００  梱包装置、１００Ａ  梱包装置、１５０  室外機、１５１  底部、１５２  天面部、１５３  側壁部、１５３ａ  開口部、１５４  脚部、１５５  筐体、１８０  熱交換器。
【図１】
2020129241.tif 000003
【図２】
2020129241.tif 000004
【図３】
2020129241.tif 000005
【図４】
2020129241.tif 000006
【図５】
2020129241.tif 000007
【図６】
2020129241.tif 000008
【図７】
2020129241.tif 000009
【図８】
2020129241.tif 000010
【図９】
2020129241.tif 000011
【図１０】
2020129241.tif 000012
【図１１】
2020129241.tif 000013
【図１２】
2020129241.tif 000014
【図１３】
2020129241.tif 000015
【図１４】
2020129241.tif 000016
【図１５】
2020129241.tif 000017
【図１６】
2020129241.tif 000018
【図１７】
2020129241.tif 000019
【図１８】
2020129241.tif 000020
【図１９】
2020129241.tif 000021
【図２０】
2020129241.tif 000022
【図２１】
2020129241.tif 000023
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
熱交換器を備えた室外機の梱包装置であって、
室外機の底部が載置される一対の底部緩衝材と、
前記一対の底部緩衝材が載置される底板部と、前記底板部の縁部から立ち上がる第１側壁部と、を有する底部外装段ボール材と、
前記一対の底部緩衝材の間に配置された状態で前記熱交換器を覆う板状の背面梱包材と、
を備え、
前記底板部は、
前記底板部から切り起こしにより形成される切起こし部を有し、
前記切起こし部は、
前記一対の底部緩衝材が前記底板部に載置された状態において前記一対の底部緩衝材の間に形成されており、切り起こされた状態では前記第１側壁部と対向し、
前記背面梱包材は、
前記底板部に立てた状態で配置されると、前記背面梱包材の下部が、前記切起こし部と前記第１側壁部とによって支持される室外機の梱包装置。
【請求項２】
前記切起こし部の基部は、前記底板部を垂直方向に見た平面視において、前記第１側壁部の基部と平行に形成されている請求項１に記載の室外機の梱包装置。
【請求項３】
前記切起こし部は、
前記一対の底部緩衝材の間に延びる１つの切起こし片で形成されている請求項１又は２に記載の室外機の梱包装置。
【請求項４】
前記切起こし部は、
複数の切起こし片で形成されており、
前記複数の切起こし片は、前記第１側壁部に沿って並んで配置されている請求項１又は２に記載の室外機の梱包装置。
【請求項５】
前記切起こし片は、矩形の板状に形成されており、一辺が前記底板部と接続している請求項３又は４に記載の室外機の梱包装置。
【請求項６】
前記一対の底部緩衝材は、
互いに対向する内側面部をそれぞれ有し、
前記一対の底部緩衝材が前記底板部に載置された場合に、前記内側面部は、水平方向において、前記切起こし部の側方の側縁部と対向しており、
前記切起こし部は、前記一対の底部緩衝材の水平方向の移動を規制する請求項１〜５のいずれか１項に記載の室外機の梱包装置。
【請求項７】
前記内側面部は、
前記側縁部と当接する請求項６に記載の室外機の梱包装置。
【請求項８】
前記内側面部には、
前記一対の底部緩衝材の上下方向に延びるように形成された溝部が形成されており、
前記側縁部は、前記溝部に配置されている請求項６又は７に記載の室外機の梱包装置。
【請求項９】
前記切起こし部は、
前記背面梱包材が配置される側とは反対側の壁面が、前記溝部を構成する壁部と対向する請求項８に記載の室外機の梱包装置。
【請求項１０】
前記切起こし部は、
前記背面梱包材が配置される側とは反対側に倒れた状態では前記壁部と当接しており、
前記切起こし部は、前記壁部によって支持される請求項９に記載の室外機の梱包装置。
【請求項１１】
前記底部外装段ボール材は、
前記底板部の縁部から立ち上がり前記第１側壁部と対向する第２側壁部と、
前記底板部の縁部から立ち上がり前記第１側壁部と前記第２側壁部との間に形成された、互いに対向する第３側壁部及び第４側壁部と、
を有し、
前記一対の底部緩衝材のうち一方の底部緩衝材は、
前記第１側壁部と、前記第２側壁部と、前記第３側壁部と、前記切起こし部との間に配置され、
前記一対の底部緩衝材のうち他方の底部緩衝材は、
前記第１側壁部と、前記第２側壁部と、前記第４側壁部と、前記切起こし部との間に配置される請求項１〜１０のいずれか１項に記載の室外機の梱包装置。
【請求項１２】
前記背面梱包材は、
矩形状に形成された主板部と、
前記主板部の下縁部から突出する突出部と、
を有し、
前記一対の底部緩衝材はそれぞれ直方体状に形成されており、
前記一対の底部緩衝材はそれぞれ、前記内側面部と、室外機が載置される上面部と、前記一対の底部緩衝材が前記底板部に載置された場合に前記第１側壁部と対向する側面部とによって形成される角部に切り欠き部が形成されており、
前記切り欠き部は、
前記背面梱包材が、前記底板部に配置された場合に、前記主板部の板面と対向する背面縦壁部と、前記主板部の上縁部と前記下縁部との間に延びるように形成された主板側縁部と対向する側面縦壁部と、前記主板部の前記下縁部と対向する中間底面部と、によって形成されている請求項６〜１０のいずれか１項に記載の室外機の梱包装置。
【国際調査報告】
2020129241.tif 000024
2020129241.tif 000025
2020129241.tif 000026
2020129241.tif 000027